(57)【要約】【課題】映像と音声とをローカルネットワークの同一の信号線によって同時に複数チャネルで伝送することが可能で、省配線が図れ、また機能拡張も容易な構内通信システムを提供することにある。【解決手段】ロビーインターホン１は映像、音声の各情報をする際、制御部１００で通信開始要求コマンドを生成し、ＧＫ／ＧＷ機器８へＩＰプロトコルにより送信する。ＧＫ／ＧＷ機器８は通信開始要求コマンドの受信により記憶部８１にロビーインターホン１のＩＰアドレス、使用帯域量といった帯域情報を保存するとともに通信開始応答コマンドをＩＰプロトコルによるデジタル多重パケットにより伝送する。ロビーインターホン１はＧＫ／ＧＷ機器８からの通信開始応答コマンドを受信後、宛先ＩＰアドレスを宛先ヘッダに書き込んだ上で映像、音声の各情報をＩＰプロトコルによるデジタル多重パケットによって伝送する。【選択図】図１
2010136432.tif 000002
【特許請求の範囲】
【請求項１】
音声通話を行うための情報機器間の音声情報の伝送と、撮像カメラを備えた情報機器から、映像をモニタする表示手段を備えた情報機器への映像情報の伝送とを、建物構内に設けられたローカルネットワークを通じてＩＰプロトコルによるデジタル多重パケット伝送により行い、上記ローカルネットワークには、撮像カメラ及び音声通話用の第１の音声入出力手段を備えた第１の情報機器と、映像をモニタする表示手段及び音声通話用の第２の音声入出力手段を備えた第２の情報機器とを接続し、第１の情報機器は映像情報を第２の情報機器へ宛てて送信する一方で、第２の情報機器は映像情報を第１の情報機器へ宛てて送信しないものとし、第２の情報機器は、映像情報や音声情報の保存を行う記憶部を備え、第２の情報機器の記憶部の一部は、第２の音声出力手段で音声を再生するタイミングを一定時間遅延させ、表示手段での映像の再生タイミングと、第２の音声出力手段での音声の再生タイミングとを調整する遅延バッファとして機能し、遅延バッファは、受信された映像情報のアンパケットからアナログ変換までの処理経路の途中に設けられたことを特徴とする構内通信システム。
【発明の詳細な説明】
【技術分野】
【０００１】
本発明は、集合住宅や病院等における映像・音声通信を行うための構内通信システムに関するものである。
【背景技術】
【０００２】
構内通信システムの従来例として集合住宅用ホームオートメーションシステム（マンションＨＡシステム）構成を図１６に示す。
【０００３】
このマンションＨＡシステムは図示するようにロビーＬＢに設けられるロビーインターホン１、管理人室Ｋ等に設置されるホームオートメーション（ＨＡ）を統合するためのシステム親器２、各住戸Ｈに設置される住宅情報盤３及びドアホン子器４、各住戸Ｈ及び管理人室Ｋに設置される火災感知器等５から構成される。
【０００４】
このマンションＨＡシステムでの映像・音声通信は住宅情報盤３とロビーインターホン１との間、又は住宅情報盤３とシステム親器２との間、更にはロビーインターホン１とシステム親器２との間で行われる。
【０００５】
また、火災・非常の通報（警報伝達）は火災感知器５での火災検出時や、住宅情報盤３の非常ボタン（図示せず）の押し操作時に、住宅情報盤３とシステム親器２との間で行われる。
【０００６】
ところでこのマンションＨＡシステムのロビーインターホン１、システム親器２、各住戸Ｈに設けられる住宅情報盤３の夫々の間を接続する配線の形態としては、映像用に１ペア、音声用に１ペア、火災・非常警報用に１ペアの計３ペアのペア線からなる信号線６…が用いられる。
【０００７】
そして使用される信号の伝送方式として、映像信号にはアナログＦＭ変調信号が、また音声信号にはベースバンド信号が用いられ、また火災・非常の通報（警報伝達）はポーリングセレクティング方式通信で行われているのが通常である。
【先行技術文献】
【特許文献】
【０００８】
【特許文献１】特開平１０−０６９５８９号公報
【発明の概要】
【発明が解決しようとする課題】
【０００９】
上述したマンションＨＡシステムでは、アナログ通信であるため、映像・音声通信で同時に１チャネル（通話）しか使用できず、しかも信号線が映像通信用、音声通信用、火災・非常の通報用に分かれているため、配線が複雑になるという問題がある。またこのマンションＨＡシステムにデータ通信を付加する場合、更に別の配線が必要となるため、機能拡張が困難であるという問題があった。
【００１０】
本発明は、上記の点に鑑みて為されたもので、その目的とするところは映像と音声とをローカルネットワークの同一の信号線によって同時に複数チャネルで伝送することが可能で、省配線が図れ、しかも機能拡張も容易で、且つ映像の再生と音声の再生との間に違和感を与えない構内通信システムを提供することにある。
【課題を解決するための手段】
【００１１】
上記の目的を達成するために、請求項１の発明では、音声通話を行うための情報機器間の音声情報の伝送と、撮像カメラを備えた情報機器から、映像をモニタする表示手段を備えた情報機器への映像情報の伝送とを、建物構内に設けられたローカルネットワークを通じてＩＰプロトコルによるデジタル多重パケット伝送により行い、上記ローカルネットワークには、撮像カメラ及び音声通話用の第１の音声入出力手段を備えた第１の情報機器と、映像をモニタする表示手段及び音声通話用の第２の音声入出力手段を備えた第２の情報機器とを接続し、第１の情報機器は映像情報を第２の情報機器へ宛てて送信する一方で、第２の情報機器は映像情報を第１の情報機器へ宛てて送信しないものとし、第２の情報機器は、映像情報や音声情報の保存を行う記憶部を備え、第２の情報機器の記憶部の一部は、第２の音声出力手段で音声を再生するタイミングを一定時間遅延させ、表示手段での映像の再生タイミングと、第２の音声出力手段での音声の再生タイミングとを調整する遅延バッファとして機能し、遅延バッファは、受信された映像情報のアンパケットからアナログ変換までの処理経路の途中に設けられたことを特徴とするものである。
【発明の効果】
【００１２】
請求項１の発明は、音声通話を行うための情報機器間の音声情報の伝送と、撮像カメラを備えた情報機器から、映像をモニタする表示手段を備えた情報機器への映像情報の伝送とを、建物構内に設けられたローカルネットワークを通じてＩＰプロトコルによるデジタル多重パケット伝送により行うので、映像と音声との通信において同時に複数チャネルの使用が可能で、映像と音声の通信がローカールネットワークの同一信号線上で行える為、省配線が図れ、特に映像情報と音声情報とをＩＰプロトコルによるデジタル多重パケットで伝送するため、ローカルネットワークの同一信号線上でＥ−ＭａｉｌやＷｅｂ等のデータ通信機能等の拡張も容易に行えるという効果がある。また、上記ローカルネットワークには、撮像カメラ及び音声通話用の第１の音声入出力手段を備えた第１の情報機器と、映像をモニタする表示手段及び音声通話用の第２の音声入出力手段を備えた第２の情報機器とを接続し、第１の情報機器は映像情報を第２の情報機器へ宛てて送信する一方で、第２の情報機器は映像情報を第１の情報機器へ宛てて送信しないものとし、第２の情報機器は、映像情報や音声情報の保存を行う記憶部を備え、第２の情報機器の記憶部の一部は、第２の音声出力手段で音声を再生するタイミングを一定時間遅延させ、表示手段での映像の再生タイミングと、第２の音声出力手段での音声の再生タイミングとを調整する遅延バッファとして機能し、遅延バッファは、受信された映像情報のアンパケットからアナログ変換までの処理経路の途中に設けられたので、映像と音声のリップ同期をとることができ、再生時の音声と映像のずれによる違和感を無くすことができるという効果がある。
【図面の簡単な説明】
【００１３】
【図１】本発明の参考例１のシステム構成図である。
【図２】同上に用いる住宅情報盤の構成図である。
【図３】同上に用いるＧＫ／ＧＷ機器の構成図である。
【図４】同上に用いるシステム親器の構成図である。
【図５】同上に用いるロビーインターホンの構成図である。
【図６】同上に用いる監視カメラ装置の構成図である。
【図７】同上の映像及び音声の情報伝送の説明図である。
【図８】本発明の参考例２の動作説明図である。
【図９】本発明の実施形態１の動作説明図である。
【図１０】本発明の参考例３の動作説明図である。
【図１１】本発明の実施形態２のシステム構成図である。
【図１２】同上に用いるインターホンの構成図である。
【図１３】同上に用いるセンター装置の構成図である。
【図１４】本発明の実施形態３のシステム構成図である。
【図１５】同上に用いる情報盤の構成図である。
【図１６】従来例のシステム構成図である。
【発明を実施するための形態】
【００１４】
以下本発明を実施形態及び参考例により説明する。
【００１５】
（参考例１）
本参考例は、複数棟からなるマンションＨＡシステムに適用したもので、図１に示すように各棟Ｘ１…のロビーＬＢに設けられるロビーインターホン１及び監視カメラ装置７、管理人室Ｋに設けられるシステム親器２、ゲートキーパー／ゲートウェイ機器（以下ＧＫ／ＧＷ機器と言う）８、１０ＢＡＳＥ−Ｔや１００ＢＡＳＥ−Ｔ仕様のローカルネットワークの信号線Ｌを分岐するためのハブ１０、更に各棟Ｘ１…のローカルネットワークの接続機器と、システム親器２及びＧＫ／ＧＷ機器８との間のルーティングを行うためのルータ１１…及び各ルータ１１…に対してシステム親器２及びＧＫ／ＧＷ機器８からのネットワークの信号線Ｌを分岐するためのハブ１２、各住戸Ｈに設けられる住宅情報盤３、ドアホン子器４、各住戸Ｈ及び管理人室Ｋに設けられる火災感知器５から構成され、外部の公衆網ＰＴに対してはＧＫ／ＧＷ機器８を介して接続され、インターネットＩＮには公衆網ＰＴ上にアクセスポイントを設けたインターネット接続業者ＩＳＰを通じて接続される。また移動体通信網の基地局２００を通じて移動体端末２０１との間での通信が行えるようになっている。
【００１６】
そしてロビーインターホン１の撮像カメラ１０４（図５参照）、監視カメラ装置７の撮像カメラ７４（図６参照））で夫々撮像して得られた映像信号及び、ロビーインターホン１，住宅情報盤３、システム親器２の音声入出力手段の入力音声信号は夫々の機器においてデジタル変換後、符号化され、更に後述するコマンド等とともにパケット化されて、同一の信号線Ｌ上にＩＰプロトコルによるデジタル多重パケット伝送方式により送信されるようになっている。
【００１７】
尚本参考例では、１０ＢＡＳＥ−Ｔに対応する伝送帯域を用いるが、必要となる伝送帯域に応じて、１００ＢＡＳＥや１０００ＢＡＳＥ仕様等に変更することが可能である。
【００１８】
次に本参考例に用いる各機器の構成と機能について説明する。
【００１９】
まず住宅情報盤３は図２に示すように、制御部３０、記憶部３１、操作部３２、映像処理部３３、表示部３４、音声処理部３５、音声入出力部３６、ネットワーク用インターフェース部３７、ドアホンインターフェース部３８，センサインターフェース部３９から構成された情報機器を構成する。
【００２０】
次に住宅情報盤３での映像情報と音声情報の通信（映像情報については受信のみ）、警報コマンド通信、警報表示、警報音出力を行うための機能について以下に説明する。
【００２１】
制御部３０はデータのパケット／アンパケット化、及び各部の統括を行い、記憶部３１は各種情報（映像情報、音声情報等）の保存を行い、操作部３２は各種のキーを備え、非常釦操作や、呼び出し先の番号入力等を行う。
【００２２】
ネットワーク用インターフェース部３７は他の機器（ロビーインターホン１、監視カメラ装置７、システム親器２、ＧＫ／ＧＷ部８、他の住宅情報盤３）とのパケット通信（映像情報、音声情報、各種データ、各種コマンド）を行うための送受信手段を構成するもので、ローカルのＩＰアドレスが割り当てられている。
【００２３】
ドアホンインターフェース部３８はドアホン子器４との映像信号、音声信号の送受信を行い、センサインターフェース部３９は火災感知器５からの火災検知信号の検出を行う。
【００２４】
映像処理部３３はネットワーク用インターフェース部３７より受信され制御部３０でアンパケットされた映像情報、又は記憶部３１に予め保存されている警報用の映像情報を復号化、Ｄ／Ａ変換によるアナログ映像信号への変換を行う。
【００２５】
表示部３４は映像処理部３３からのアナログ映像信号の画面出力を行うモニタを構成する。
【００２６】
音声入出力部３６はアナログ音声信号の入出力をマイク（図示せず）とスピーカ（図示せず）とで音声通話のための音声の入出力を行う。
【００２７】
音声処理部３５は制御部３０でアンパケットされた音声情報、または記憶部３１に予め保存されている警報用の音声情報の復号化、Ｄ／Ａ変換によるアナログ音声信号への変換を行うとともに、音声入出力部３６より入力したアナログ音声信号のＡ／Ｄ変換、符号化を行って制御部３０へ渡す。
【００２８】
而して住宅情報盤３では音声処理部３３でＡ／Ｄ変換、符号化された音声情報を制御部３０に渡し、制御部３０では符号化された音声情報をパケット化し、このパケット化された音声情報を他のコマンドやデータとともにネットワーク用インターフェース部３７からＩＰプロトコルによりローカルネットワークの信号線Ｌ上にデジタル多重パケットで送信される。
【００２９】
火災感知器５の火災検出や非常釦操作時に送出する警報コマンド等の各種コマンド、データは制御部３０で生成されて、上述のように音声情報のパケットとともにネットワーク用インターフェース部３７より伝送される（ＧＫ／ＧＷ機器８との間コマンド通信については後述する）。
【００３０】
ＧＫ／ＧＷ機器８は図３に示すように、制御部８０、記憶部８１、ネットワーク用インターフェース部８２、ＩＳＤＮインターフェース部８３とから構成され、ＩＳＤＮ加入者回線網からなる公衆網ＰＴ、インターネットＩＮへの接続及び、帯域管理を行う。
【００３１】
制御部８０は本参考例で使用される１０ＢＡＳＥ−Ｔと、ＩＳＤＮの信号変換、及び各部の統括を行い、記憶部８１は現在使用されている帯域情報の保管を行う。またネットワーク用インターフェース部８２はローカルなＩＰアドレスが割り当てられ、他機器（ロビーインターホン１、監視カメラ装置７、システム親器２、住宅情報盤３）とのＩＰプロトコルによるパケット通信（各種データ、各種コマンド）を行い、ＩＳＤＮインターフェース部８３は公衆網ＰＴ、及び公衆網ＰＴを介したインターネットＩＮとの通信を行う。
【００３２】
而してＧＫ／ＧＷ機器８のゲートウェイ機能部は、まず、ネットワーク用インターフェース部８２より、外部のＩＰアドレスや電話番号宛のパケットを受信した場合、制御部８０で信号変換（１０ＢＡＳＥ−Ｔ→ＩＳＤＮ）し、ＩＳＤＮインターフェース部８３より他のゲートウェイやインターネット接続業者のアクセスポイントの電話番号へ発信し、回線接続後に音声情報、映像情報、相手先電話番号或いはＩＰアドレスのデータ等を転送する。
【００３３】
また、ＩＳＤＮインターフェース部８３より着信し、外部からデータを受信した場合は、制御部８０で信号変換（ＩＳＤＮ→１０ＢＡＳＥ−Ｔ）し、ネットワーク用インターフェース部８４より、ローカルネットワーク上の他の機器へデータを転送する。
【００３４】
尚本参考例では、公衆網ＰＴとしてＩＳＤＮ加入者網を例に挙げたが、アナログ電話網やＡＤＳＬ（ＡｓｙｍｍｅｔｒｉｃＤｉｇｉｔａｌ ＳｕｂｓｃｒｉｂｅｒＬｉｎｅ）、ＣＡＴＶ等にも対応することが可能である。
【００３５】
一方ＧＫ／ＧＷ機器８のゲートキーパー機能は制御部８０に搭載されており、各機器（ロビーインターホン１、住宅情報盤３、システム親器２、監視カメラ装置７）から送信される通信要求コマンドによって使用帯域を管理し、帯域が或る限界値以上になった場合は、通信要求を拒否することにより、使用帯域を制限する。
【００３６】
システム親器２は図４に示すように、制御部２０、記憶部２１、操作部２２、映像処理部２３、表示部２４、音声処理部２５、音声入出力部２６、ネットワーク用インターフェース部２７、センサインターフェース部２８から構成され、各部の機能としては住宅情報盤３の対応する各部の機能と同様な機能を有し、映像・音声、警報コマンド通信、警報表示、警報音出力を行い、更にその他の機能として住宅情報盤３からの火災発生や非常に対応する警報コマンドを受信した場合に、記憶部２１に予め登録されている各住宅情報盤３のネットワーク用インターフェース部３７のＩＰアドレス情報を参照し、他の複数の住宅情報盤３へ非常警報コマンドをマルチキャスト通信する機能を持つ。
【００３７】
ロビーインターホン１は図５に示すように、制御部１００、記憶部１０１、操作部１０２、映像処理部１０３、撮像カメラ１０４、音声処理部１０５、音声入出力部１０６、ネットワーク用インターフェース部１０７から構成され、住宅情報盤３と同様に映像、音声通信機能を有するが、映像については撮像カメラ１０４から出力されるアナログ映像信号をキャプチャし、このアナログ映像信号を映像処理部１０３でＡ／Ｄ変換と符号化を行い、この符号化された映像情報を更に制御部１００でパケット化し、ネットワーク用インターフェース部１０７を通じてＩＰプロトコルによるデジタル多重パケット伝送にて信号線Ｌ上に送信するようになっている。尚音声情報に関する通信処理は住宅情報盤３と同様に行われる。
【００３８】
監視カメラ装置７は図６に示すように、制御部７０、記憶部７１、操作部７２、映像処理部７３、撮像カメラ７４、ネットワーク用インターフェース部７５から構成されているもので、音声情報の通信機能は持たず、映像情報の送信機能のみを持ち、一定時間毎に映像情報をシステム親器２や住宅情報盤３に伝送するようになっている。操作部７２は撮像カメラ７４の撮像方向に調整やフォーカス調整を行うための操作手段を構成する。尚映像情報に関する通信処理はロビーインターホン１と同様に行われる。
【００３９】
ここで本参考例では、ロビーインターホン１が撮像カメラ１０４と映像処理手段１０３による映像入力手段を備え、音声処理部１０５及び音声入出力部１０６による音声出力手段及び音声入力手段を備えた第１の情報機器を構成し、住宅情報盤３，システム親器２が映像処理部３３，２２及び表示部３４、２４による表示手段と、音声処理部３５，２５及び音声入出力部２６による音声入出力手段を備えた第２の情報機器を構成する。
【００４０】
次にロビーインターホン１を例に挙げて本参考例の映像情報・音声情報の伝送について説明する。
【００４１】
まずロビーインターホン１が映像情報、音声情報を伝送する際、図７に示すように制御部１００で通信開始要求コマンドを生成し、ＧＫ／ＧＷ機器８へＩＰプロトコルによるデジタル多重パケット伝送により送信すると、通信開始要求コマンドを受信したＧＫ／ＧＷ機器８は記憶部８１にロビーインターホン１のＩＰアドレス、使用帯域量といった帯域情報を保存するとともに通信開始応答コマンドをＩＰプロトコルによるデジタル多重パケット伝送により送信する。
【００４２】
そして、ロビーインターホン１はＧＫ／ＧＷ機器８からの通信開始応答コマンドを受信後、映像情報、音声情報を操作部１０２で入力された呼び出し番号（呼び出し先が例えば住宅情報盤３の場合には当該住戸情報盤３に割り当ててある番号）に対応する宛先ＩＰアドレスをパケットの宛先ヘッダに書き込んだ上でＩＰプロトコルによるデジタル多重パケットによって伝送する。
【００４３】
尚記憶部１０１には各呼び出し番号とそれに対応するＩＰアドレスの読替テーブルが格納されているものとする。
【００４４】
尚ＧＫ／ＧＷ機器８は記憶部８１で帯域情報を管理するが、帯域が予め設定した値以上になった場合は、例えばロビーインターホン１からの通信開始要求コマンドを受信しても、ＧＫ／ＧＷ機器８は制御部８０の判断の下で通信開始拒否コマンドを返信することで、映像情報、音声情報の伝送を拒否し、使用帯域を制限する。
【００４５】
さて上記のパケットの宛先ヘッダに書き込まれたＩＰアドレスが割り当てられているＩＰアドレスと一致する住宅情報盤３では、ネットワーク用インターフェース部３７を通じて受信したロビーインターホン１からの映像情報及び音声情報のパケットを制御部３０でアンパケットする。そのアンパケットされた映像情報及び音声情報は映像処理部３３及び音声処理部３５で復号されるとともにＤ／Ａ変換され、アナログ映像信号は表示部３４へ、アナログ音声信号は音声入出力部３６へ夫々入力して表示部３４で映像が、音声入出力部３６では音声が夫々再生される。
【００４６】
また音声入出力部３６で入力される音声信号は音声処理部３５でＡ／Ｄ変換しされた後符号化され、この符号化された音声情報は処理部３０にてパケット化され且つロビーインターホン１のＩＰアドレスが宛先としてヘッダに付与された上でネットワーク用インターフェース部３７を通じてＩＰプロトコルによるデジタル多重パケット伝送にてローカルネットワークの信号線１上に送信される。
【００４７】
この住宅情報盤３から送出されるパケット化された音声情報はロビーインターホン１のネットワーク用インターフェース部１０７を通じて制御部１００に取り込まれてアンパケットされた後、音声処理部１０５で復号されるとともにＤ／Ａ変換され、音声入出力部１０６で再生される。
【００４８】
このようにしてロビーインターホン１からは撮像カメラ１０４で撮像された映像と音声入出力部１０６で入力された音声の情報がＩＰプロトコルによるデジタル多重パケットで伝送され、受信側となる住宅情報盤３からは音声入出力部３６で入力された音声の情報がＩＰプロトコルによるデジタル多重パケットで伝送されることになる。
【００４９】
さて次に上述の映像情報、音声情報の伝送を終了する場合には、住宅情報盤３の操作部３２若しくはロビーインターホン１の操作部１０２で終話操作を行うのであるが、この場合終話操作を行った側の制御部３０又は１００で通信終了コマンドを生成してＧＫ／ＧＷ機器８へ送信して、ＧＫ／ＧＷ機器８に通信の終了を通知する。通信終了コマンドを受信したＧＫ／ＧＷ機器８は記憶部８１の該当する機器、この場合は呼び出し側となるロビーインターホン１の帯域情報を削除し、ロビーインターホン１へ通信終了応答コマンドを送信する。
【００５０】
尚住宅情報盤３、システム親器２等の各機器が音声情報を伝送する場合、或いは監視カメラ装置７が映像情報を伝送する場合もロビーインターホン１と同様にＧＫ／ＧＷ機器８との間の通信開始要求コマンド及び通信開始応答コマンドの送受に基づいて行う。勿論この場合も夫々の操作部３２や２２で入力される或いは７２で設定されている呼び出し先番号に対応するＩＰアドレスがパケットの宛先ヘッダに書き込まれる。この場合も住宅情報盤３，システム親器２，監視カメラ装置７の記憶部３１，２１，７１には呼び出し先番号とＩＰアドレスの読替用テーブルが格納されているものとする。
【００５１】
また音声情報のＩＰプロトコルは一般的にＶｏＩＰと称せられるもので、ここではＩＴＵ−Ｔ勧告．３２３やＩＥＴＦが標準化を進めているＭＧＣＰ等を用い、また映像情報のＩＰプロトコルも標準とされるものを用いることとする。
【００５２】
（参考例２）
ところで参考例１のロビーインターホーン１から映像情報と音声情報とを略同時に伝送する場合、送信側での映像情報、音声情報の符号化や、受信側での映像情報、音声情報の復号化において処理時間が異なることや、映像情報と音声情報が別パケットで伝送され、映像情報と音声情報のデータサイズも異なることにより伝送時間も異なるため、受信して復号化し、アナログ変換した映像信号、音声信号をそのまま再生すると、再生される映像と音声の同期（リップ同期）がとれず、違和感を生じる。
【００５３】
このため本参考例では、まずロビーインターホン１の映像情報、音声情報を制御部１００でパケット化する際に図８に示すように映像情報若しくは音声情報のパケットＰのヘッダ領域に映像、音声をキャプチャした時間情報をタイムスタンプＴＳとして付与する。尚図８で示すパケットＰの「映像」或いは「音声」の文字の後ろに記載した数値は伝送される各情報の順番情報を示し、タイムスタンプＳＴで示す数値は伝送開始時からキャプチャされた時点までの時間を示す。尚その単位はｍｓである。
【００５４】
一方、受信側機器、例えば住宅情報盤３では順次受信しアンパケットされた音声情報ＵＰａと映像情報ＵＰｂをタイムスタンプＴＳとともに記憶部３１に一旦格納する。そして制御部３０は記憶部３１に格納したタイムスタンプＴＳの数値を参照して、図示するように同じ時間にキャプチャされた音声情報ＵＰａ、映像情報ＵＰｂを取り出して映像処理部３３、音声処理部３５に渡して、同時的に夫々の情報ＵＰａ，ＵＰｂを復号させ、更にアナログ変換させることで、表示部３６での映像の再生タイミングと、音声入出力部３７での音声の再生タイミングの調整を図る。
【００５５】
このように受信側で映像情報及び音声情報のパケットＰに付与されたタイムスタンプ（時間情報）ＴＳを参照することにより、映像と音声の再生タイミングを調整し、再生される映像と音声との間で違和感を与えるよな時間のずれが無くなるのである。尚受信側機器としてはシステム親器２も住宅情報盤３と同様な処理を行う機能が備わっているのは勿論である。。
【００５６】
（実施形態１）
上記参考例２での映像と音声の再生タイミングの調整は、送信側で映像情報及び音声情報にタイムスタンプＴＳを付与し、受信側でタイムスタンプＴＳを参照して同じタイムスタンプＳＴの映像情報、音声情報を同時的にアナログ信号に変換した後再生する方法によって行っているが、本実施形態は図９に示すように受信側機器、例えば住宅情報盤３の記憶部３１の一部を遅延バッファとして機能させ、受信するパケットＰの内、アンパケットした音声情報ＵＰａを一旦、上記遅延バッファに格納する。そして、遅延バッファで音声情報ＵＰａを一定時間遅らせてから、音声処理部３５に渡して復号とアナログ変換を行わせ、音声入出力部３６で再生させる。一方アンパケットされた映像情報ＵＰｂは受信端末、例えば住宅情報盤３の制御部３０から直接映像処理部３３に渡して再生する。
【００５７】
このように本実施形態ではアンパケットされた音声情報ＵＰａを遅延バッファ（記憶部３１）で一定時間遅らせて音声処理部３５に渡すことにより、情報量が多く、伝送と処理に時間がかかる映像の再生タイミングに、音声の再生タイミングを合わせることができるのある。尚受信側機器としてはシステム親器２も住宅情報盤３と同様な処理を行う機能が備わっているのは勿論である。
【００５８】
（参考例３）
図１０（ａ）に示すように、ロビーインターホン１と住宅情報盤３（或いはシステム親器２））における片方向の映像情報伝送、双方向の音声情報の伝送時に、符号化、復号化の処理時間や伝送時間により必然的に発生する遅延時間（図１０（ｂ）〜（ｄ）中■）は音声情報と映像情報とは異なる。この図１０の例では、同図（ｂ）に示す映像情報で必然的に発生する遅延時間を３００ｍｓ、同図（ｃ）に示す音声情報で必然的に発生する遅延時間を１００ｍｓとしているように、映像情報の方が音声情報よりも遅延時間は大きい。
【００５９】
この点に鑑みて本参考例では、ロビーインターホン１から住宅情報盤３への下り方向の映像情報と音声情報について、受信側の住宅情報盤３で制御部３０の制御の下で、音声情報を２００ｍｓ遅らせる（図中●）ことにより、映像と音声のトータルの遅延時間を合わせて再生する。これに対し、住宅情報盤３からロビーインターホン１への上りの音声情報については、ロビーインターホン１の制御部１００の制御の下で先述した１００ｍｓの遅延時間で再生する。このように、上り方向と下り方向の音声を非対称に遅延させて、映像と音声の再生タイミングを調整し、且つ双方向での音声の遅延時間を最小にすることができる。
【００６０】
（実施形態２）
上記実施形態１及び参考例１〜３は集合住宅に構築した構内通信システムであるが、本実施形態は図１１に示すように病院に構築した構内通信システムに係るもので、図示するように各病室Ｘには、ベッドＢ上を常時監視するための監視カメラ装置７と、インターホン１３とを設け、監視センターＹにはセンター装置１４と、ゲートキーパー機器（以下ＧＫ機器という）８’とを設け、これら機器をハブ１０によりローカルネットワークの信号線Ｌに接続している。
【００６１】
ここで監視カメラ装置７は参考例１の監視カメラ装置７（図６で示す）と同じ構成を有するので、ここでは図示と説明は省略する。
【００６２】
一方インターホン１３は図１２に示すように制御部１３０と、記憶部１３１と、操作部１３２と、ネットワーク用インターフェース部１３３と、音声処理部１３４と、音声入出部１３５とで構成される。
【００６３】
制御部１３０はデータのパケット／アンパケット化、及び各部の統括を行い、記憶部１３１は各種情報（音声情報等）の保存を行い、操作部３２は呼び出し等の各種入力を行う。
【００６４】
ネットワーク用インターフェース部１３３は他の機器（センター装置１４、ＧＫ機器８’）とのパケット通信（音声情報、各種データ、各種コマンド）を行うための送受信手段を構成するもので、ローカルのＩＰアドレスが割り当てられている。
【００６５】
音声入出力部１３５はアナログ音声信号の入出力をマイク（図示せず）とスピーカ（図示せず）とで行い、音声処理部１３４はネットワーク用インターフェース部１３３より受信した音声情報、または記憶部１３１に予め保存されている緊急呼び出し用の音声情報の復号化、Ｄ／Ａ変換によるアナログ音声信号への変換、及び音声入出力部１３５より入力したアナログ音声信号のＡ／Ｄ変換、符号化を行う。
【００６６】
センター装置１４は図１３に示すように、制御部１４０、記憶部１４１、操作部１４２、映像処理部１４３、表示部１４４、音声処理部１４５、音声入出力部１４６、ネットワーク用インターフェース部１４７から構成され、映像処理部１４３，表示部１４４以外の機能はインターホン１３の対応する各部の機能と同様である。
【００６７】
そして映像処理部３３はネットワーク用インターフェース部３７より受信した各監視カメラ装置７からの映像情報、又は記憶部３１に予め保存されている緊急呼び出し用の映像情報を復号化、Ｄ／Ａ変換によるアナログ映像信号への変換を行い、表示部３４は映像処理部３３で復号化、Ｄ／Ａ変換されたアナログ映像信号の画面出力を行うモニタを構成する。
【００６８】
而してセンター装置１４では映像・音声、緊急呼び出し用コマンド通信、緊急呼び出し表示、緊急事態発生音出力を行い、更にその他の機能としてインターホン１３からの緊急通報コマンドを受信した場合に、記憶部２１に予め登録されているナース室や医師控え室等のインターホン等に設けた端末（図示せず）のＩＰアドレス情報を参照し、他の複数の端末へ緊急事態発生を通報する機能を持つ。
【００６９】
ＧＫ機器８’は、各機器（インターホン１４、センター装置１４、監視カメラ装置７）から送信される通信要求コマンドにより、使用帯域を管理し、帯域が或る限界値以上になった場合は、通信要求を拒否することにより、使用帯域を制限する機能を備えている。
【００７０】
而して本実施形態では、各監視カメラ装置７は常時若しくは定期的に映像情報が伝送され、センター装置１４の表示部１４４で各病室Ｘの患者の状態を監視することができる。
【００７１】
また病室の患者や付き添い人はインターホン１３の操作部１３２を操作することで、センター装置１４との間で双方向に音声通信を行うことが可能となる。この場合センター装置１４の表示部１４４は、監視カメラ装置７によって撮像されたベッドＢ上の様子を示す映像を映し出し、監視センターＹに控えているナースや医者はこの映像で患者の状態を確認することができることになる。
【００７２】
またインターホン１３の操作部３２で緊急事態の発生を示す呼び出しがあると、自動的に監視センターＹ以外のナース室や医師控え室の端末へ緊急事態発生を通報することができる。
【００７３】
尚各情報の伝送は参考例１と同じであるので詳細な説明は省略する。
【００７４】
ところで、本実施形態では監視カメラ装置７とインターホン１４とは独立していて夫々にＩＰアドレスが割り当てられているが、センター装置１４から見ると、監視カメラ装置７の映像情報による映像の再生と、インターホン１４の音声情報による音声の再生との間で時間的なずれが起きると違和感を生じるため、本実施形態において、実施形態１及び参考例２，３における遅延処理の方法を採用して同一病室からの映像の再生と音声の再生とを同期させるようにしても良い。
【００７５】
（実施形態３）
本実施形態はオフィスビルに構築した構内通信システムに係るもので、図１４に示すようにロビーＬＢに設けられるロビーインタホン１、管理センターＫ’に設けられるセンター装置１４、ＧＫ機器８’、各部屋Ｒに必要に応じて設置される監視カメラ７，情報盤３’から構成される。
【００７６】
情報盤３’は参考例１における住宅情報盤３のドアホン子器４に対応するドアホンインターフェース部３８，火災感知器５に対応するセンサインターフェース部３９が存在しない他は、図１６に示すように住宅情報盤３と同様に制御部３０、記憶部３１、操作部３２、映像情報の処理のための映像処理部３３、表示部３４、音声情報の処理のための音声処理部３５、音声入出力部３６及びネットワーク用インターフェース部３７が備わっている。
【００７７】
一方、ロビーインターホン１は集合住宅におけるロビーインターホン１と同じ構成を有し、またセンター装置１４は実施形態２におけるセンター装置１４と基本的に同じ構成を有し、更にＧＫ機器８’も実施形態２におけるＧＫ機器８’と同じ構成を有するので、ここでは詳細な構成の図示及び説明は省略する。
【００７８】
尚センター装置１４は、実施形態２における緊急通報の機能はないが、ロビーインターホン１の撮像カメラ１０４で撮像した映像の表示部１４４での再生と、ロビーインターホン１の音声入出力部１０６と音声入出力部１４６との間の音声通話ができるようになっている。また各情報盤３’の音声入出力部３６と音声入出力部１４６との間での音声通話もできるようになっている。
【００７９】
ロビーインターホン１と各情報盤３’との間では、ロビーインターホン１から映像情報と音声情報が、また各情報盤３’からロビーインターホン１へ音声情報が夫々伝送され、各情報盤３’間では音声情報が双方向に伝送される。
【００８０】
尚映像と、音声との間で同期を取る手法として、実施形態１及び参考例２，３の何れかの遅延処理の方法を採用して良い。
【符号の説明】
【００８１】
１  ロビーインターホン
２  システム親器
３  住宅情報盤
４  ドアホン子器
５  火災感知器
７  監視カメラ装置
８  ゲートキーパー／ゲートウェイ機器
１０，１２  ハブ
１１  ルータ
Ｘ１，Ｘ２  棟
ＬＢ  ロビー
Ｈ    住戸
Ｌ  信号線
ＰＴ  公衆網
ＩＳＰ  インターネット接続業者
ＩＮ    インターネット
２００  基地局
２０１  移動体通信端末
【図１】
2010136432.tif 000003
【図２】
2010136432.tif 000004
【図３】
2010136432.tif 000005
【図４】
2010136432.tif 000006
【図５】
2010136432.tif 000007
【図６】
2010136432.tif 000008
【図７】
2010136432.tif 000009
【図８】
2010136432.tif 000010
【図９】
2010136432.tif 000011
【図１０】
2010136432.tif 000012
【図１１】
2010136432.tif 000013
【図１２】
2010136432.tif 000014
【図１３】
2010136432.tif 000015
【図１４】
2010136432.tif 000016
【図１５】
2010136432.tif 000017
【図１６】
2010136432.tif 000018